(57)【要約】      （修正有）【課題】簡単な構成で、間仕切り壁の両側の室内を空調対象とするとともに、壁面の熱伝導率・放射率を変えることで放射量を制御し、両側の室内全体の空調効率を高めることが可能な放射空調システムを提供する。【解決手段】本発明の放射空調システムは、前壁１０と、前壁１０に対向して配置される後壁１１と、前壁１０と後壁１１との間の空間Ｓに配置され、前壁１０を介して熱を放射する放射空調パネル１２と、前壁１０の上部又は下部の少なくとも一方に設けられた開口１３と、前壁１０と後壁１１との間に設けられ、放射空調パネル１２からの空気を、開口１３から上方又は下方に送り出すための送風手段１４と、を備える。【選択図】図１
2019007716.tif 000002
【特許請求の範囲】
【請求項１】
前壁と、
前記前壁に対向して配置される後壁と、
前記前壁と前記後壁との間の空間に配置され、前記前壁を介して熱を放射する放射空調パネルと、
前記前壁の上部又は下部の少なくとも一方に設けられた開口と、
前記前壁と前記後壁との間に設けられ、前記放射空調パネルからの空気を、前記開口から上方又は下方に送り出すための送風手段と、を備える、放射空調システム。
【請求項２】
前記前壁の開口は、前記前壁の上部に設けられた第一の開口及び前記前壁の下部に設けられた第二の開口を有し、
前記送風手段は、前記空気を、前記第二の開口から送り出す第一送風機と、前記空気を、前記第一の開口から送り出す第二送風機と、を含む、請求項１に記載の放射空調システム。
【請求項３】
前記開口は、開口度を調整可能である、請求項１又は２に記載の放射空調システム。
【請求項４】
前記後壁は、前記放射空調パネルからの前記空気を熱伝導する材質で形成されている、請求項１〜３の何れかに記載の放射空調システム。
【請求項５】
前記前壁の熱伝導率は、前記後壁の熱伝導率より高い、請求項１〜４の何れかに記載の放射空調システム。
【請求項６】
前記後壁の上部又は下部の少なくとも一方に設けられた開口を、さらに備える、請求項１〜５の何れかに記載の放射空調システム。
【請求項７】
前記前壁と前記後壁とによって形成される壁構造は、一方の部屋と他方の部屋とを仕切る間仕切り壁として構成されている、請求項１〜６の何れかに記載の放射空調システム。
【発明の詳細な説明】
【技術分野】
【０００１】
本発明は、放射空調システムに関し、特に、室内の間仕切り壁内に配置された放射空調システムに関する。
【背景技術】
【０００２】
現在の空調システムでは、室内の空気自体を冷やしたり、暖めたりして循環させる、所謂、対流空調方式が、広く使用されている。しかしながら、このような空調システムでは、冷風又は温風が、使用者の身体に直接当たることが多く、使用者が、気流感によって、不快に感じることがある。また、空調システムの吹出口付近で発生する騒音や、冷風又は温風の当たり方等に起因する室内の温度ムラ等の問題があり、その解決策が求められてきた。
【０００３】
そこで、そのような問題を解決するために、放射空調パネルを用いて、放射空調パネルからの放射熱によって室内を冷暖房する放射空調システムが、使用される例もある。
【０００４】
放射空調パネルは、基本的に、放射パネルと、放射パネル上に、冷却対象の流体や熱源の流体を循環させる循環路を備え、冷却対象の流体や熱源の流体を循環路に流し、パネル表面から各部への放射及び周囲の空気や水、壁等への熱伝導を利用して放熱する。
【０００５】
そして、近年では、放射空調システムとして、袖壁タイプの放射空調システムが、採用されている。しかしながら、袖壁タイプの放射空調システムでは、袖壁を、室内に別途設ける必要があるため、室内空間を有効に利用することができない、といった問題がある。
【０００６】
そのような問題を解決するために、室内の間仕切り壁の中に、放射空調パネルを設けた放射空調システムとして、例えば、特開２０１１−２２６７４２号公報（特許文献１）及び特開２０１２−９３０５０号公報（特許文献２）が、提案されている。
【０００７】
特許文献１には、木造又は軽量鉄骨造建物の間仕切りを構成する柱、間柱間に、プラスチック樹脂製放熱器を配置し、内装材で放熱器を隠蔽埋設する温冷水循環暖冷房システムが記載されている。
【０００８】
特許文献１に記載の温冷水循環暖冷房システムでは、放熱器は、上下主管間に縦パイプ群を並列連通した第１放熱パネルと第２放熱パネルとを重層形態で一体化し、一方の放熱パネルの上側主管にはサプライ管を、他方の放熱パネルの上側主管にはリターン管を天井配管で接続している。
【０００９】
係る暖冷房システムでは、放熱器埋設間仕切内の空間は、上側では、放熱器とサプライ管及びリターン管との接続金具の上方を受材で閉鎖され、下側では、放熱器の下方を受材で閉鎖されとともに、後面を、内装材で閉鎖し、前面を、中央の内装材と、上下のガラリとで閉鎖している。また、放熱器の上側主管を上方受材に固定した吊金具で支承し、下方受材上にはドレンパンを配置して、ドレンパンから下方受材を貫通するドレンパイプ及び排水パイプを連通配置するようにしている。
【００１０】
この種の暖冷房システムでは、第１放熱パネル及び第２放熱パネルから放射された放射熱は、内装材を通して、間仕切り壁に隣接される一方側の室内に、熱伝導によって伝えられるようになっている。
【００１１】
また、特許文献２には、木造、鉄骨造又は鉄筋コンクリート造建物の、壁下地の間仕切り壁の熱空間内に、プラスチック樹脂製放熱器を収納し、内装材で放熱器を隠蔽埋設する温冷水循環タイプの暖冷房システムが記載されている。
【００１２】
特許文献２に記載の温冷水循環暖冷房システムでは、木造、鉄骨造又は鉄筋コンクリート造建物の、壁下地の間仕切の間柱間の熱空間内に、プラスチック樹脂製放熱器が収納されている。
【００１３】
係る暖冷房システムでは、放熱器は、上下ヘッダー間に縦パイプ群を密集並列連通した、同一の、第１放熱パネルと、第２放熱パネルとを重層形態で一体化して、一方の放熱パネルの上側ヘッダーからは供給口を、他方の放熱パネルの上側ヘッダーからは排出口を突設している。そして、放熱器を間仕切の熱空間内に吊下げ形態で保持し、放熱器の下側にはドレンパンを配置し、熱空間の表裏両面に熱輻射波の遮断機能を備えた開閉建具を開閉自在に配置し、間仕切の両側の居室に対して放熱作用の選択付与を可能としている。
【００１４】
この種の暖冷房システムでは、第１放熱パネル及び第２放熱パネルから放射される放射熱は、内装材のそれぞれを通して、間仕切り壁に隣接される両側の室内に、熱伝導によって伝えられるようになっている。
【先行技術文献】
【特許文献】
【００１５】
【特許文献１】特開２０１１−２２６７４２号公報
【特許文献２】特開２０１２−９３０５０号公報
【発明の概要】
【発明が解決しようとする課題】
【００１６】
しかしながら、特許文献１に記載の暖冷房システムでは、間仕切り壁の一方側の室内のみを空調対象としているため、他方側の室内の空調については、全く考慮されていなかった。また、ガラリによる空気循環はあるものの、自然循環であるため、放射空調の特徴である気流の弱さによって、室内全体を空調するために時間がかかる、といった問題があった。
【００１７】
また、特許文献２に記載の暖冷房システムでは、間仕切り壁の両側の室内を空調対象とするものの、上記と同様に、ガラリによる空気循環はあるものの、自然循環であるため、放射空調の特徴である気流の弱さによって、室内全体を空調するために時間がかかる、といった問題があった。さらに、特許文献１及び特許文献２に記載の暖冷房システムでは、上述のように、構造が複雑である、といった問題があった。
【００１８】
そこで、発明者等は、簡単な構成で、壁面の熱伝導率・放射率を変えることで放射量を制御し、両側の室内全体の空調効率を高めることが可能な放射空調システムを構築することを検討した。
【００１９】
本発明は、斯かる実情に鑑み、簡単な構成で、間仕切り壁の両側の室内を空調対象とするとともに、壁面の熱伝導率・放射率を変えることで放射量を制御し、両側の室内全体の空調効率を高めることが可能な放射空調システムを提供することを目的とする。
【課題を解決するための手段】
【００２０】
本発明に係る放射空調システムは、前壁と、前記前壁に対向して配置される後壁と、前記前壁と前記後壁との間の空間に配置され、前記前壁を介して熱を放射する放射空調パネルと、前記前壁の上部又は下部の少なくとも一方に設けられた開口と、前記前壁と前記後壁との間に設けられ、前記放射空調パネルからの空気を、前記開口から上方又は下方に送り出すための送風手段と、を備える、ことを特徴とする。なお、「放射空調パネルからの空気」とは、放射空調パネルによって暖められる空気、又は放射空調パネルによって冷やされる空気をいう。
【００２１】
上記構成の放射空調システムによれば、前壁と、前壁に対向して配置される後壁と、前壁と後壁との間の空間に配置され、前壁を介して熱を放射する放射空調パネルと、前壁の上部又は下部の少なくとも一方に設けられた開口と、前壁と後壁との間に設けられ、放射空調パネルからの空気を、開口から上方又は下方に送り出すための送風手段と、を備えるため、前壁と後壁との間の空間で、放射空調パネルからの空気，すなわち、放射空調パネルによって暖められる空気、又は放射空調パネルによって冷やされる空気は、前壁と後壁との間の空間から前壁を介して、前壁の外側の空間に熱伝導される。
【００２２】
また、放射空調パネルからの空気は、送風手段によって、前壁の上部又は下部の少なくとも一方に設けられた開口から、前壁の外側の空間に向けて、上方又は下方に送り出される。そして、開口から前壁の外側の空間に向けて、上方又は下方に送り出された空気は、前壁の外側の空間で対流するようになる。
【００２３】
これにより、放射空調パネルからの空気は、前壁を介した熱伝導による冷気又は暖気と、開口から上方又は下方に送り出された放射、対流による冷気又は暖気と、により、冷風又は暖風を、気流感を感じさせない程度に送り出すことで、放射と対流とを組み合わせて、例えば、前壁の外側に居室等の部屋がある場合、簡単な構成で、壁面の熱伝導率・放射率を変えることで放射量を制御し、室内全体の空調効率を高めることができる。
【００２４】
本発明の一態様として、前記前壁の開口は、前記前壁の上部に設けられた第一の開口及び前記前壁の下部に設けられた第二の開口を有し、前記送風手段は、前記空気を、前記第二の開口から送り出す第一送風機と、前記空気を、前記第一の開口から送り出す第二送風機と、を含む、のが好ましい。
【００２５】
上記構成の放射空調システムによれば、前壁の開口は、前壁の上部に設けられた第一の開口及び前壁の下部に設けられた第二の開口を有し、送風手段は、空気を、第二の開口から送り出す第一送風機と、空気を、第一の開口から送り出す第二送風機と、を含むため、放射空調パネルからの空気は、例えば、冷房時には、第二送風機によって、前壁の第一の開口から前壁の外側に向けて、上方に送り出されるとともに、例えば、暖房時には、第一送風機によって、前壁の第二の開口から前壁の外側に向けて、下方に送り出される。
【００２６】
そして、第一の開口又は第二の開口から前壁の外側の空間に向けて、上方及び下方に送り出された空気は、前壁の外側の空間で対流するようになる。
【００２７】
これにより、放射空調パネルからの空気は、前壁を介した熱伝導による冷気又は暖気と、第一の開口又は第二の開口から上方及び下方に送り出された放射、対流による冷気又は暖気と、により、冷風又は暖風を、気流感を感じさせない程度に送り出し、放射と対流を組み合わせて、例えば、前壁の外側に居室等の部屋がある場合、簡単な構成で、壁面の熱伝導率・放射率を変えることで放射量を制御し、室内全体の空調効率を高めることができる。
【００２８】
本発明の他態様として、前記開口は、開口度を調整可能である、のが好ましい。
【００２９】
上記構成の放射空調システムによれば、開口は、開口度を調整可能であるため、開口の開口度を調整するといった簡単な操作で、壁面の熱伝導率・放射率をより効率的に変えることで放射量を制御し、室内全体の空調効率をより効率的に高めることができる。
【００３０】
本発明の他態様として、前記後壁は、前記放射空調パネルからの前記空気を熱伝導する材質で形成されている、のが好ましい。
【００３１】
上記構成の放射空調システムによれば、後壁は、放射空調パネルからの空気を熱伝導する材質で形成されているため、放射空調パネルからの空気を、後壁から後壁の外側の空間に、効率的に熱伝導することができる。
【００３２】
本発明のさらに他の態様として、前記前壁の熱伝導率は、前記後壁の熱伝導率より高い、のが好ましい。
【００３３】
上記構成の放射空調システムによれば、前壁の熱伝導率は、後壁の熱伝導率より高いため、例えば、前壁の壁面に隣接する部屋の熱伝導による放射量は、後壁の壁面に隣接する部屋の熱伝導による放射量よりも高くなり、前壁の壁面に隣接する部屋を、より効率的に空調することができる。
【００３４】
本発明のさらに別の態様として、前記後壁の上部又は下部の少なくとも一方に設けられた開口を、さらに備える、のが好ましい。
【００３５】
上記構成の放射空調システムによれば、後壁の上部又は下部の少なくとも一方に設けられた開口を、さらに備えるため、放射空調パネルからの空気は、前壁と後壁との間の空間から後壁を介して、後壁の外側の空間に熱伝導される。
【００３６】
また、放射空調パネルからの空気は、送風手段によって、後壁の上部又は下部の少なくとも一方に設けられた開口から、後壁の外側の空間に向けて、上方又は下方に送り出される。そして、開口から後壁の外側の空間に向けて、上方又は下方に送り出された空気は、後壁の外側の空間で対流するようになる。
【００３７】
これにより、放射空調パネルからの空気は、後壁を介した熱伝導による冷気又は暖気と、開口から上方又は下方に送り出された放射、対流による冷気又は暖気と、により、冷風又は暖風を、気流感を感じさせない程度に送り出すことで、放射と対流とを組み合わせて、例えば、後壁の外側に居室等の部屋がある場合、簡単な構成で、壁面の熱伝導率・放射率を変えることで放射量を制御し、室内全体の空調効率を高めることができる。
【００３８】
本発明のさらに別の態様として、前記前壁と前記後壁とによって形成される壁構造は、一方の部屋と他方の部屋とを仕切る間仕切り壁として構成されている、のが好ましい。
【００３９】
上記構成の放射空調システムによれば、前壁と後壁とによって形成される壁構造は、一方の部屋と他方の部屋とを仕切る間仕切り壁として構成されているため、室内の間仕切り壁を有効に利用して、放射パネルを設置し、放射空調システムを構築することができ、間仕切り壁の両側の室内を空調対象とするとともに、間仕切り壁の壁面の熱伝導率・放射率を変えることで放射量を制御し、両側の室内全体の空調効率を高めることができる。
【００４０】
さらに、両側の室内全体の温度差を軽減することができ、例えば、ヒートショック等の対策となることが期待できる。
【発明の効果】
【００４１】
以上のように、本発明の放射空調システムによれば、簡単な構成で、間仕切り壁の両側の室内を空調対象とするとともに、壁面の熱伝導率・放射率を変えることで放射量を制御し、両側の室内全体の空調効率を高めることができる、といった優れた効果を奏し得る。
【図面の簡単な説明】
【００４２】
【図１】本発明の一実施形態に係る放射空調システムの構成を示す平面図である。
【図２】本発明の一実施形態に係る放射空調システムを用いて、住宅の間仕切り壁を挟む両側の居室を冷房している状態を示す図である。
【図３】本発明の一実施形態に係る放射空調システムを用いて、住宅の間仕切り壁を挟む両側の居室を暖房している状態を示す図である。
【図４】本発明の一実施形態に係る放射空調システムの他の構成を示す平面図である。
【発明を実施するための形態】
【００４３】
以下、本発明の一実施形態に係る放射空調システムの概略について、添付図面を参照して説明する。
【００４４】
本実施形態に係る放射空調システムは、例えば、室内の間仕切り壁内に、放射空調パネルを設けた放射空調システムに設置されるためのものである。
【００４５】
図１に示すように、放射空調システム１００は、前壁１０と、前壁１０に対向して配置される後壁１１と、前壁１０と後壁１１との間の空間Ｓに配置され、前壁１０を介して熱を放射する放射空調パネル１２と、前壁１０の上部１０ａ又は下部１０ｂの少なくとも一方に設けられた開口１３と、前壁１０と後壁１１との間に設けられ、放射空調パネル１２からの空気Ａを、開口１３から上方又は下方に送り出すための送風手段１４と、を備える。
【００４６】
前壁１０は、放射空調パネル１２からの空気Ａ（図２及び図３を参照のこと）を熱伝導する材質で形成されている。本実施形態において、前壁１０は、石膏ボードと、石膏ボードに貼付されたクロスとで、形成されている。なお、前壁１０と後壁１１との間の空間Ｓの幅は、１５０ｍｍ程度であればよい。
【００４７】
本実施形態において、放射空調パネル１２は、前壁１０と後壁１１との間の空間Ｓ内に、前壁１０及び後壁１１に対向して配置され、その上端部及び下端部は、天井面ＣＬ及び床面ＦＬに固定されている。
【００４８】
放射空調パネル１２は、特に限定されるものではなく、一般的な放射空調パネルが使用可能である。本実施形態において、放射空調パネル１２は、例えば、冷却対象の流体や熱源の流体、温水、冷水等を循環させるラジエータである。ラジエータは、熱交換器の一種であり、冷却対象の流体や熱源の流体等を内部に流し、周囲の空気や水、壁等に熱伝導を利用して放熱する。ラジエータは、熱の大半を熱伝及び放射によって放熱する。
【００４９】
本実施形態において、放射空調パネル（ラジエータ）１２は、放射パネル１２ａと、冷却対象の流体や熱源の流体等を循環させる循環路（図示せず）と、を備える。
【００５０】
本実施形態において、前壁１０の開口１３は、前壁１０の上部１０ａに設けられた第一の開口１３ａ、及び前壁１０の下部１０ｂに設けられた第二の開口１３ｂを有する。
【００５１】
送風手段１４は、空気Ａを、第二の開口１３ｂから送り出す第一送風機１４ａと、空気Ａを、第一の開口１３ａから送り出す第二送風機１４ｂと、を含む。
【００５２】
後壁１１は、放射空調パネル１２からの空気Ａ（図２及び図３を参照のこと）を熱伝導する材質で形成されている、本実施形態において、前壁１と同様に、後壁１１は、石膏ボードと、石膏ボードに貼付されたクロスとで、形成されている。
【００５３】
本実施形態において、送風手段１４（第一送風機１４ａ及び第二送風機１４ｂ）は、ファン１４を含む。
【００５４】
送風手段１４（第一送風機１４ａ及び第二送風機１４ｂ）は、一般的な送風用のファンが使用可能である。なお、ファン１４の制御は、例えば、ファン１４に接続された制御部（図示せず）が行っている。
【００５５】
本実施形態において、後壁１１の上部１１ａ又は下部１１ｂの少なくとも一方に設けられた開口１５を、さらに備える。
【００５６】
本実施形態において、後壁１１の開口１５は、後壁１１の上部１１ａに設けられた第三の開口１５ａ及び後壁１１の下部１１ｂに設けられた第四の開口１５ｂを有する。
【００５７】
放射空調システム１００は、前壁１０と後壁１１との間に設けられ、放射空調パネル１２からの空気Ａを、開口１５（第三の開口１５ａ及び第四の開口１５ｂ）から上方又は下方に送り出すための送風手段１６、を備える。
【００５８】
送風手段１６は、空気Ａを、第四の開口１５ｂから送り出す第三送風機１６ａと、空気Ａを、第三の開口１５ａから送り出す第四送風機１６ｂと、を含む。
【００５９】
本実施形態において、送風手段１６（第三送風機１６ａ及び第四送風機１６ｂ）は、ファン１６を含む。
【００６０】
送風手段１６（第三送風機１６ａ及び第四送風機１６ｂ）は、一般的な送風用のファンが使用可能である。なお、ファン１６の制御は、例えば、ファン１６に接続された制御部（図示せず）が行っている。
【００６１】
本実施形態において、放射空調システム１００は、結露水の排水用のドレン１７を、さらに備える。
【００６２】
本実施形態において、前壁１０と後壁１１とによって形成される壁構造は、一方の部屋Ｒ１と他方の部屋Ｒ２とを仕切る間仕切り壁Ｗとして構成されている。
【００６３】
本実施形態において、一方の部屋Ｒ１と他方の部屋Ｒ２とが両方とも居室の場合、前壁１０と後壁１１とは、同じ構成である。
【００６４】
本実施形態において、間仕切り壁Ｗを挟む一方の部屋Ｒ１と他方の部屋Ｒ２に対して、間仕切り壁Ｗの壁面における熱伝導率及び放射率を変えることで、放射量を制御するように構成される。
【００６５】
例えば、一方の部屋Ｒ１と他方の部屋Ｒ２とを、同程度に冷房又は暖房したい場合、前壁１０の熱伝導率は、後壁１１の熱伝導率と、同程度になるように構成される。
【００６６】
また、他方の部屋Ｒ２に比し、一方の部屋Ｒ１を優先的に冷房又は暖房したい場合、前壁１０の熱伝導率は、後壁１１の熱伝導率より高くなるように構成される。
【００６７】
さらに、一方の部屋Ｒ２に比し、他方の部屋Ｒ１を優先的に冷房又は暖房したい場合、後壁１１の熱伝導率は、前壁１０の熱伝導率より高くなるように構成される。
【００６８】
本実施形態に係る放射空調システム１００の構成についての説明は以上の通りであり、次に、本実施形態に係る放射空調システム１００を用いて、住宅の居室Ｒ１，Ｒ２を冷暖房する作業について、図２及び図３を参照して説明する。
【００６９】
なお、図２において、住宅の居室Ｒ１，Ｒ２を冷房する作業について、説明し、図３において、住宅の居室Ｒ１，Ｒ２を暖房する作業について、説明する。
【００７０】
図２において、冷房時には、前壁１０と後壁１１との間の空間Ｓで、放射空調パネル１２によって冷やされる空気Ａは、前壁１０を介して前壁１０の外側の居室Ｒ１に熱伝導される。また、第二送風機１４ｂの運転を開始し、放射空調パネル１２によって冷やされる空気Ａは、第二送風機１４ｂによって、前壁１０の第一の開口１３ａから、前壁１０の外側の居室Ｒ１に向けて、上方に送り出される。
【００７１】
そして、第一の開口１３ａから前壁１０の外側の居室Ｒ１に向けて、上方に送り出された空気Ａは、前壁１０の外側の居室Ｒ１で対流するようになる。
【００７２】
これにより、放射空調パネル１２からの空気（冷気）Ａは、前壁１０を介した熱伝導による冷気Ａと、第一の開口１３ａから上方に送り出された放射、対流による冷気Ａと、により、冷風Ａを、気流感を感じさせない程度に送り出すことができる。その結果、放射と対流とを組み合わせて、壁面の熱伝導率・放射率を変えることで放射量を制御し、居室Ｒ１全体の空調効率を高めることができる。
【００７３】
上記と同様に、前壁１０と後壁１１との間の空間Ｓで、放射空調パネル１２によって冷やされる空気Ａは、後壁１１を介して後壁１１の外側の居室Ｒ２に熱伝導される。また、第四送風機１６ｂの運転を開始し、放射空調パネル１２によって冷やされる空気Ａは、第四送風機１６ｂによって、後壁１１の第三の開口１５ａから、後壁１１の外側の居室Ｒ２に向けて、上方に送り出される。
【００７４】
そして、第三の開口１５ａから後壁１１の外側の居室Ｒ２に向けて、上方に送り出された空気Ａは、後壁１１の外側の居室Ｒ２で対流するようになる。
【００７５】
これにより、放射空調パネル１２からの空気（冷気）Ａは、後壁１１を介した熱伝導による冷気Ａと、第三の開口１５ａから上方に送り出された放射、対流による冷気Ａと、により、冷風Ａを、気流感を感じさせない程度に送り出すことができる。その結果、放射と対流とを組み合わせて、壁面の熱伝導率・放射率を変えることで放射量を制御し、室内全体の空調効率を高めることができる。
【００７６】
以上により、間仕切り壁Ｗの両側の居室Ｒ１，Ｒ２を空調対象とするとともに、間仕切り壁Ｗの壁面の熱伝導率・放射率を変えることで放射量を制御し、両側の室内Ｒ１，Ｒ２全体の空調効率を高めることができる。
【００７７】
図３において、暖房時には、前壁１０と後壁１１との間の空間Ｓで、放射空調パネル１２によって暖められる空気Ａは、前壁１０を介して前壁１０の外側の居室Ｒ１に熱伝導される。また、第一送風機１４ａの運転を開始し、放射空調パネル１２によって暖められる空気Ａは、第一送風機１４ａによって、前壁１０の第二の開口１３ｂから、前壁１０の外側の居室Ｒ１に向けて、下方に送り出される。
【００７８】
そして、第二の開口１３ｂから前壁１０の外側の居室Ｒ１に向けて、下方に送り出された空気Ａは、前壁１０の外側の居室Ｒ１で対流するようになる。
【００７９】
これにより、放射空調パネル１２からの空気（暖気）Ａは、前壁１０を介した熱伝導による暖気Ａと、第二の開口１３ｂから下方に送り出された放射、対流による暖気Ａと、により、暖風Ａを、気流感を感じさせない程度に送り出すことができる。その結果、放射と対流とを組み合わせて、壁面の熱伝導率・放射率を変えることで放射量を制御し、室内全体の空調効率を高めることができる。
【００８０】
上記と同様に、前壁１０と後壁１１との間の空間Ｓで、放射空調パネル１２によって暖められる空気Ａは、後壁１１を介して後壁１１の外側の居室Ｒ２に熱伝導される。また、第三送風機１６ａの運転を開始し、放射空調パネル１２によって暖められる空気Ａは、第三送風機１６ａによって、後壁１１の第四の開口１５ｂから、後壁１１の外側の居室Ｒ２に向けて、下方に送り出される。
【００８１】
そして、第四の開口１５ｂから後壁１１の外側の居室Ｒ２に向けて、下方に送り出された空気Ａは、後壁１１の外側の居室Ｒ２で対流するようになる。
【００８２】
これにより、放射空調パネル１２からの空気（暖気）Ａは、後壁１１を介した熱伝導による暖気Ａと、第四の開口１５ｂから下方に送り出された放射、対流による暖気Ａと、により、暖風Ａを、気流感を感じさせない程度に送り出すことができる。その結果、放射と対流とを組み合わせて、壁面の熱伝導率・放射率を変えることで放射量を制御し、室内全体の空調効率を高めることができる。
【００８３】
その結果、間仕切り壁Ｗの両側の室内Ｒ１，Ｒ２を空調対象とするとともに、間仕切り壁Ｗの壁面の熱伝導率・放射率を変えることで放射量を制御し、両側の室内Ｒ１，Ｒ２全体の空調効率を高めることができる。
【００８４】
以上のように、本実施形態に係る放射空調システム１００によれば、冷房時には、前壁１０と後壁１１との間の空間Ｓで、放射空調パネルからの空気Ａは、前壁１０と後壁１１との間の空間Ｓから、前壁１０及び後壁１１を介して、それぞれ、前壁１０の外側の居室Ｒ１及び後壁１１の外側の居室Ｒ２に熱伝導される。
【００８５】
また、放射空調パネル１２からの空気は、例えば、冷房時には、第二送風機１４ｂによって、前壁１０の第一の開口１３ａから、前壁１０の外側の居室Ｒ１に向けて、上方に送り出される。
【００８６】
そして、第一の開口１３ａから前壁１０の外側の居室Ｒ１に向けて、上方に送り出された空気Ａは、前壁１０の外側の居室Ｒ１で対流するようになる。
【００８７】
これにより、放射空調パネル１２からの空気（冷気）Ａは、前壁１０を介した熱伝導による冷気Ａと、第一の開口１３ａから上方に送り出された放射、対流による冷気Ａと、により、冷風Ａを、気流感を感じさせない程度に送り出すことができる。
【００８８】
また、第三の開口１５ａから後壁１１の外側の居室Ｒ２に向けて、上方に送り出された空気Ａは、後壁１１の外側の居室Ｒ２で対流するようになる。
【００８９】
これにより、放射空調パネル１２からの空気（冷気）Ａは、後壁１１を介した熱伝導による冷気Ａと、第三の開口１５ａから上方に送り出された放射、対流による冷気Ａと、により、冷風Ａを、気流感を感じさせない程度に送り出すことができる。
【００９０】
その結果、間仕切り壁Ｗの両側の室内Ｒ１，Ｒ２を空調対象とするとともに、間仕切り壁Ｗの壁面の熱伝導率・放射率を変えることで放射量を制御し、両側の室内Ｒ１，Ｒ２全体の空調効率を高めることができる。
【００９１】
また、暖房時には、前壁１０と後壁１１との間の空間Ｓで、放射空調パネルからの空気Ａは、前壁１０と後壁１１との間の空間Ｓから、前壁１０及び後壁１１を介して、前壁の外側の居室Ｒ１及び後壁の外側の居室Ｒ２に熱伝導される。
【００９２】
そして、放射空調パネル１２からの空気Ａは、暖房時には、第一送風機１４ａによって、前壁１０の第二の開口１３ｂから、前壁１０の外側の居室Ｒ１に向けて、下方に送り出されるとともに、第三送風機１６ａによって、後壁１１の第四の開口１５ｂから、後壁１１の外側の居室Ｒ２に向けて、下方に送り出される。
【００９３】
そして、第二の開口１３ｂから前壁１０の外側の居室Ｒ１に向けて、下方に送り出された空気Ａは、前壁１０の外側の居室Ｒ１で対流するようになる。
【００９４】
これにより、放射空調パネル１２からの空気（冷気）Ａは、前壁１０を介した熱伝導による暖気Ａと、第二の開口１３ｂから下方に送り出された放射、対流による暖気Ａと、により、暖風Ａを、気流感を感じさせない程度に送り出すことができる。
【００９５】
また、第四の開口１５ｂから後壁１１の外側の居室Ｒ２に向けて、下方に送り出された空気Ａは、後壁１１の外側の居室Ｒ２で対流するようになる。
【００９６】
これにより、放射空調パネル１２からの空気（暖気）Ａは、後壁１１を介した熱伝導による暖気Ａと、第四の開口１５ｂから下方に送り出された放射、対流による暖気Ａと、により、暖風Ａを、気流感を感じさせない程度に送り出すことができる。
【００９７】
その結果、間仕切り壁Ｗの両側の室内Ｒ１，Ｒ２を空調対象とするとともに、間仕切り壁Ｗの壁面の熱伝導率・放射率を変えることで放射量を制御し、両側の室内Ｒ１，Ｒ２全体の空調効率を高めることができる。
【００９８】
尚、本発明の放射空調システムは、上記実施形態に限定されるものではなく、本発明の要旨を逸脱しない範囲で適宜変更し得ることは勿論のことである。
【００９９】
上記実施形態において、前壁１０及び後壁１１は、石膏ボードと、石膏ボードに貼付されたクロスとで、形成されているが、これに限定されるものではない。前壁１０及び後壁１１は、放射空調パネル１２からの空気Ａを熱伝導する材質で形成されていればよい。
【０１００】
上記実施形態において、前壁１０と後壁１１との間の空間Ｓの幅は、１５０ｍｍ程度であるが、これに限定されるものではなく、任意の幅が、設定可能である。
【０１０１】
本実施形態において、放射空調パネル１２は、前壁１０と後壁１１との間の空間Ｓ内に、前壁１０及び後壁１１に対向して配置され、その上端部及び下端部は、天井面ＣＬ及び床面ＦＬに固定されているが、これに限定されるものではなく、例えば、放射空調パネル１２を、間仕切り壁Ｗの間の空間内に、吊下げ形態で保持するようにしてもよい。
【０１０２】
上記実施形態において、放射空調パネル１２は、例えば、冷却対象の流体や熱源の流体、温水、冷水等を循環させるラジエータであるが、これに限定されるものではなく、冷却対象の流体や熱源の流体、温水、冷水等を循環させ、暖気又は冷気を放射することができるものであればよい。
【０１０３】
上記実施形態において、前壁１０の開口１３は、前壁１０の上部１０ａに設けられた第一の開口１３ａ、及び前壁１０の下部１０ｂに設けられた第二の開口１３ｂを有するが、これらに限定されるものではなく、開口１３は、二つ以上の任意の個数を有してもよい。要は、放射空調パネル１２からの空気Ａが、前壁の開口１３から送り出され、間仕切り壁Ｗの外側の居室Ｒ１を対流するように構成されていればよい。
【０１０４】
上記実施形態において、送風手段１４は、空気Ａを、第二の開口１３ｂから送り出す第一送風機１４ａと、空気Ａを、第一の開口１３ａから送り出す第二送風機１４ｂと、を含むが、これらに限定されるものではなく、送風手段１４の個数は、開口１３の個数等に応じて、適宜変更可能である。
【０１０５】
上記実施形態において、後壁１１の開口１５は、後壁１１の上部１１ａに設けられた第三の開口１５ａ及び後壁１１の下部１１ｂに設けられた第四の開口１５ｂを有するが、これらに限定されるものではなく、開口１５は、二つ以上の任意の個数を有してもよい。要は、放射空調パネル１２からの空気Ａが、後壁１１の開口１５から送り出され、間仕切り壁Ｗの外側の居室Ｒ２を対流するように構成されていればよい。
【０１０６】
上記実施形態において、送風手段１４及び１６は、ファンを含むが、これらに限定されるものではなく、送風手段１４及び１６は、空気Ａを、第一の開口１３ａ及び第二の開口１３ｂから送り出すことができるものであればよく、送風手段１６は、第三の開口１５ａ及び第四の開口１５ｂから送り出すことができるものであればよい。
【０１０７】
上記実施形態において、開口１３（第一の開口１３ａ及び第二の開口１３ｂ）は開閉可能であり、居室Ｒ１の空調が不要な場合、第一の開口１３ａ及び第二の開口１３ｂを閉じることで、前壁１０の壁面の熱伝導率及び放射率が、制御されるようにしてもよい。
【０１０８】
また、上記実施形態において、開口１３（第一の開口１３ａ及び第二の開口１３ｂ）は、開口度を調整可能であるようにしてもよい。すなわち、第一の開口１３ａ及び第二の開口１３ｂの開口度を、適宜調整することによって、第一の開口１３ａ及び第二の開口１３ｂからの放射量を適宜変更し、壁面の熱伝導率及び放射率を制御するようにする。
【０１０９】
この場合、第一の開口１３ａ及び第二の開口１３ｂは、例えば、ガラリやルーバー、スリット形状を有する部材、上下に開閉可能な部材、スライド可能に開閉する部材等、適宜選択可能である。また、第一の開口１３ａ及び第二の開口１３ｂの開口度を、制御部（図示せず）等によって、電気的に制御するようにしてもよい。
【０１１０】
上記実施形態において、開口１５（第三の開口１５ａ及び第四の開口１５ｂ）は開閉可能であり、居室Ｒ２の空調が不要な場合、第三の開口１５ａ及び第四の開口１５ｂを閉じることで、後壁１１の壁面の熱伝導率及び放射率が、制御されるようにしてもよい。
【０１１１】
また、上記実施形態において、開口１５（第三の開口１５ａ及び第四の開口１５ｂ）は、開口度を調整可能であるようにしてもよい。すなわち、開口１５（第三の開口１５ａ及び第四の開口１５ｂ）の開口度を、適宜調整することによって、開口１５（第三の開口１５ａ及び第四の開口１５ｂ）からの放射量を適宜変更し、壁面の熱伝導率及び放射率を制御するようにする。
【０１１２】
この場合、開口１５（第三の開口１５ａ及び第四の開口１５ｂ）は、例えば、ガラリやルーバー、スリット形状を有する部材、上下に開閉可能な部材、スライド可能に開閉する部材等、適宜選択可能である。また、開口１５（第三の開口１５ａ及び第四の開口１５ｂ）の開口度を、制御部（図示せず）等によって、電気的に制御するようにしてもよい。
【０１１３】
また、上記実施形態において、開口１３及び開口１５は、所定の設定温度によって、その開閉を制御されるように構成されてもよい。
【０１１４】
上記実施形態において、前壁１０と後壁１１とによって形成される壁構造は、一方の部屋Ｒ１と他方の部屋Ｒ２とを仕切る間仕切り壁Ｗとして構成されているが、例えば、図４に示すように、一方の部屋Ｒ１が居室であり、他方の部屋Ｒ２が、廊下や階段等の非居室である場合、他方の部屋Ｒ２に面する壁面に、断熱材１８を設けるようにしてもよい。
【０１１５】
この場合、断熱材は、通常の断熱用に用いられるものが使用可能である。非居室空間に面する壁面には、断熱材１８を設けて閉鎖空間とし、熱放射を抑えることで、一方の部屋Ｒ１を優先的に空調することができるようになる。
【０１１６】
なお、断熱材１８を設ける場合、廊下や階段等の非居室Ｒ２を、完全に断熱する訳ではない。廊下や階段等の非居室Ｒ２に比し、居室Ｒ１が、熱伝導率及び放射率を高くなるように設定する。
【産業上の利用可能性】
【０１１７】
本発明の放射空調システムは、一般的な室内の間仕切り壁内に配置された放射空調システムに、有効に適用される。
【符号の説明】
【０１１８】
１０  前壁、１０ａ  上部、１０ｂ  下部、１１  後壁、１２  放射空調パネル、１２ａ  放射パネル、１３  開口、１３ａ  第一の開口、１３ｂ  第二の開口、１４  送風手段、１４ａ  第一送風機，１４ｂ  第二送風機、１５  開口、１５ａ  第三の開口、１５ｂ  第四の開口、１６  ト送風手段、１６ａ  第三送風機、１６ｂ  第四送風機、１７  排水用のドレン、１８  断熱材、Ａ  空気、Ｓ  空間、ＣＬ  天井面、ＦＬ  床面、Ｗ  間仕切り壁、Ｒ１  一方の部屋、Ｒ２  他方の部屋。
【図１】
2019007716.tif 000003
【図２】
2019007716.tif 000004
【図３】
2019007716.tif 000005
【図４】
2019007716.tif 000006